(57)【要約】      （修正有）【課題】ＬＡＮ端子台のハウジングを大きくせずに装着できるモジュラジャック数を増やせると共に、モジュラジャックに接続されるＬＡＮケーブルをＩＤＣ端子で接続してハウジングの裏面側より取り出せ、占有スペースが削減でき、コストダウンになると共に、ハブやルータとの接続を短いＬＡＮケーブルで行える美観を損ねない信頼性の高いＬＡＮ端子台を提供する。【解決手段】ＬＡＮモジュラジャックと、ＬＡＮモジュラジャックを装着するＬＡＮモジュラジャック固定ボディと、これらを装着するハウジング１０２を備えたＬＡＮ端子台であって、ハウジング６０の開口を有する前面にＬＡＮモジュラジャック固定ボディ４０を装着させるボディ装着部６５を備え、ＬＡＮケーブル４を開口から引き出してＬＡＮモジュラジャック１０に結線し、これをＬＡＮモジュラジャック固定ボディ４０に装着した後、ボディ装着部６５に装着してハウジング１０２に固定する。【選択図】図４
2006236719.tif 000002
【特許請求の範囲】
【請求項１】
少なくとも１つのＬＡＮモジュラジャックと、ＬＡＮモジュラジャックを第１所定数ずつ装着可能な第２所定数のＬＡＮモジュラジャック固定ボディと、第２所定数のＬＡＮモジュラジャック固定ボディが装着されるハウジングを備えたＬＡＮ端子台において、
前記ハウジングは、その前面及び背面にそれぞれ開口を有すると共に、前面端部近傍に、前記ＬＡＮモジュラジャック固定ボディが装着される第２所定数のボディ装着部を有し、
ＬＡＮモジュラジャックに結線されるＬＡＮケーブルは、前記ハウジングの背面の開口から前記ハウジング内に導入され、さらに前記前面の開口から前記ハウジングの外部に一旦引き出された状態でＬＡＭモジュラジャックに結線され、
ＬＡＮケーブルが結線されたＬＡＮモジュラジャックは、前記ＬＡＮモジュラジャック固定ボディに装着された後、ＬＡＮケーブルと共に前記ハウジングの前面の開口から前記ハウジングの内部に収容され、前記ＬＡＮモジュラジャック固定ボディが前記ハウジングのボディ装着部に装着されることにより前記ハウジングに保持されることを特徴とするＬＡＮ端子台。
【請求項２】
前記ＬＡＮモジュラジャック固定ボディは、ボディ長手方向に配列された第１所定数のＬＡＮモジュラジャック装着部と、ボディ長手方向両端部に形成された前記ハウジングのボディ装着部に係合固定される係合部を有し、
前記ハウジングは、ハウジング長手方向の両側面の形状が鋸歯屋根形状に形成され、前記ボディ装着部は、前記第２所定数のＬＡＮモジュラジャック固定ボディが各ボディ装着部に装着された状態で、前記ＬＡＮモジュラジャック装着部が同じ方向を向くように、前記鋸歯屋根形状を成す傾斜辺に１つおきに形成されていることを特徴とする請求項１に記載のＬＡＮ端子台。
【請求項３】
前記ハウジングは、壁面又はマルチメディアポート用ボックスに固定されるベース台と、前記ベース台に着脱可能なハウジング本体とで構成され、前記ボディ装着部は前記ハウジング本体に形成されていることを特徴とする請求項１又は２に記載のＬＡＮ端子台。
【請求項４】
前記ハウジング本体は、前記ベース台に装着される側端面近傍において、前記両側面を繋ぐ支持柱と、前記支持柱上に形成されたＬＡＮケーブルを保持するためのケーブル案内部を有することを特徴とする請求項３に記載のＬＡＮ端子台。
【請求項５】
前記ＬＡＮモジュラジャック及び前記ＬＡＮモジュラジャック固定ボディは、前記ＬＡＮモジュラジャックを前記ＬＡＮモジュラジャック固定ボディに係合保持するための係合爪と係合溝及び該係合爪と係合溝の係合を解除するための解除レバーで構成された係合構造を有し、前記解除レバーを前記支持柱に対し前記ケーブル案内部と反対側に配設したことを特徴とする請求項４に記載のＬＡＮ端子台。
【発明の詳細な説明】
【技術分野】
【０００１】
本発明は、通信系の機器や映像系の機器と共に、一つのボックスに配設され、これら機器と共に、マルチメディアポートを構成してＬＡＮ中継配線に用いられるＬＡＮ端子台に関する。
【背景技術】
【０００２】
従来、マルチメディアポートにおけるハブ（ＨＵＢ）やルータと先行配線されたＬＡＮ用ケーブルを接続する端子台としては、マルチメディアポート用のボックス内に収納し、ＬＡＮケーブル配線を埋め込み配線で対応させることができるマルチメディアポート用中継モジュラジャック端子台が提案されている（例えば、特許文献１）。
【０００３】
図１０（ａ）に、従来のマルチメディアポート２００に装着されたＬＡＮ端子台２０１を示す。同図において、ＬＡＮ端子台２０１は、２台の単位ＬＡＮ端子台２０１ａから成る。この単位ＬＡＮ端子台２０１ａは、モジュール化のために高さと幅が規格化された単位サイズの筺体２１１で形成され、その前面には、例えば、３つのＬＡＮ配線用のモジュラジャック２０３が装着されており、各モジュラジャック２０３に対応して接続される先行配線されたＬＡＮケーブルのツイストペアケーブルに対する接続端子となる速結端子部２０５が装着されている。この速結端子部２０５は、１つの速結端子部２０５で２本の電線を結線でき、８本の電線から成るツイストペアケーブルに対して４個の速結端子部２０５を使用する。従って、上記の単位ＬＡＮ端子台２０１aでは１２個の速結端子部２０５が装着されている。一方、ハブ２０２は、６ポートの接続ポートを有するので、これに対応して２台の単位ＬＡＮ端子台２０１ａにより６つのモジュラジャック２０３が装着され、６本のＬＡＮケーブル２０４によりＬＡＮ端子台２０１と接続されている。
【０００４】
図１０（ｂ）は、図１０（ａ）における点線で囲んだＡ部の拡大を示し、ＬＡＮケーブル２０６のツイストペアケーブルと速結端子部２０５との結線状態の詳細を示す。同図において、ＬＡＮケーブル２０６のツイストペアケーブルの電線２０６ａは、４つの速結端子部２０５における計８つの接続端子２０５ａに、その芯線が挿入され結線されている。
【０００５】
上記従来例では、ＬＡＮケーブル２０６と速結端子部２０５との接続は、４つの速結端子部２０５にツイストペアケーブルの電線の芯線を１本１本突き刺しながら行うので、結線作業が細かく手間が掛かり、さらに結線後のＬＡＮ端子台２０１の前面部において配線処理が極めて複雑になると共に、速結端子部２０５とモジュラジャックとの接続はプリント基板を介して行われるので、接続プロセスが増えるという問題があった。
【０００６】
また、１つのＬＡＮケーブルの接続に４つの速結端子部２０５を装着する必要があるので、端子台２０１前面において広い取り付け面積を必要としていた。そのため、モジュール化されたマルチメディアポート用の単位ＬＡＮ端子台２０１ａでは、図示したように例えば、３個のモジュラジャックしか配設できず、２台のＬＡＮ端子台２０１ａを使用しても、６組のモジュラジャックしか装着することができなかった。
【０００７】
しかしながら、最近の家庭内での情報通信配線の増大に伴い、ハブ２０２は、より多くのハブポートを備えるものが増えてきており、これに対応して、従来のＬＡＮ端子台においては、単位ＬＡＮ端子台２０１ａを２台では対応できず、単位ＬＡＮ端子台２０１ａを３台以上に増やすことが必要となる。この場合、ＬＡＮ端子台２０１全体のハウジングサイズが増大し、マルチメディアポート内での占有スペースが増えると共に、コスト的に高くつくという問題があった。このようなマルチメディアポートは、通常屋内のあまり目立たない箇所に設置されるとはいえ、あまり大きくなることは好ましくない。また、コストもできるだけ安価であることが好ましい。
【特許文献１】特開２００１−２１７０２３号公報
【発明の開示】
【発明が解決しようとする課題】
【０００８】
本発明は、上記問題を解決するものであり、ＬＡＮ端子台のハウジングを大きくせずに装着できるモジュラジャック数を増やせると共に、モジュラジャックに接続されるＬＡＮケーブルをＩＤＣ端子で接続してハウジングの裏面側より取り出せ、占有スペースが削減でき、コストダウンになると共に、ハブやルータとの接続を短いＬＡＮケーブルで行える美観を損ねない信頼性の高いＬＡＮ端子台を提供することを目的とする。
【課題を解決するための手段】
【０００９】
上記目的を達成するために請求項１の発明は、少なくとも１つのＬＡＮモジュラジャックと、ＬＡＮモジュラジャックを第１所定数ずつ装着可能な第２所定数のＬＡＮモジュラジャック固定ボディと、第２所定数のＬＡＮモジュラジャック固定ボディが装着されるハウジングを備えたＬＡＮ端子台であって、前記ハウジングは、その前面及び背面にそれぞれ開口を有すると共に、前面端部近傍に、前記ＬＡＮモジュラジャック固定ボディが装着される第２所定数のボディ装着部を有し、ＬＡＮモジュラジャックに結線されるＬＡＮケーブルは、前記ハウジングの背面の開口から前記ハウジング内に導入され、さらに前記前面の開口から前記ハウジングの外部に一旦引き出された状態でＬＡＮモジュラジャックに結線され、ＬＡＮケーブルが結線されたＬＡＮモジュラジャックは、前記ＬＡＮモジュラジャック固定ボディに装着された後、ＬＡＮケーブルと共に前記ハウジングの前面の開口から前記ハウジングの内部に収容され、前記ＬＡＮモジュラジャック固定ボディが前記ハウジングのボディ装着部に装着されることにより前記ハウジングに保持されるものである。
【００１０】
請求項２の発明は、請求項１記載のＬＡＮ端子台において、前記ＬＡＮモジュラジャック固定ボディは、ボディ長手方向に配列された第１所定数のＬＡＮモジュラジャック装着部と、ボディ長手方向両端部に形成された前記ハウジングのボディ装着部に係合固定される係合部を有し、前記ハウジングは、ハウジング長手方向の両側面の形状が鋸歯屋根形状に形成され、前記ボディ装着部は、前記第２所定数のＬＡＮモジュラジャック固定ボディが各ボディ装着部に装着された状態で、前記ＬＡＮモジュラジャック装着部が同じ方向を向くように、前記鋸歯屋根形状を成す傾斜辺に１つおきに形成されているものである。
【００１１】
請求項３の発明は、請求項１又は請求項２に記載のＬＡＮ端子台において、前記ハウジングは、壁面又はマルチメディアポート用ボックスに固定されるベース台と、前記ベース台に着脱可能なハウジング本体とで構成され、前記ボディ装着部は前記ハウジング本体に形成されているものである。
【００１２】
請求項４の発明は、請求項３記載のＬＡＮ端子台において、前記ハウジング本体は、前記ベース台に装着される側端面近傍において、前記両側面を繋ぐ支持柱と、前記支持柱上に形成されたＬＡＮケーブルを保持するためのケーブル案内部を有するものである。
【００１３】
請求項５の発明は、請求項４に記載のＬＡＮ端子台において、前記ＬＡＮモジュラジャック及び前記ＬＡＮモジュラジャック固定ボディは、前記ＬＡＮモジュラジャックを前記ＬＡＮモジュラジャック固定ボディに係合保持するための係合爪と係合溝及び該係合爪と係合溝の係合を解除するための解除レバーで構成された係合構造を有し、前記解除レバーを前記支持柱に対し前記ケーブル案内部と反対側に配設したものである。
【発明の効果】
【００１４】
請求項１の発明によれば、ＬＡＮモジュラジャックに結線されるＬＡＮケーブルは、ハウジングの下面より接続されるので、ハウジングの前面にはＬＡＮケーブルの結線部は存在せず、ＬＡＮ端子台のハウジング前面におけるＬＡＮモジュラジャックの取り付け面積を増加させることができ、これによりＬＡＮモジュラジャックの取り付け数を増やすことができる。従って、例えば、従来の６ポート用のＬＡＮ端子台のハウジングサイズで、８ポート用のＬＡＮ端子台を構成することが可能となり、ＬＡＮ端子台の省スペース化が得られる。また、ＬＡＮ端子台とハブ部間のＬＡＮケーブル接続の結線が８本に増えても、ＬＡＮ端子台のハウジングの大きさが変らないので、両者の接続は従来のままの短いケーブルで行え、簡潔な配線ができる。
【００１５】
請求項２の発明によれば、ＬＡＮモジュラジャックは、ハウジング前面において傾斜を成して装着されるので、ＬＡＮモジュラジャックに接続されるハウジングの背面から取り出されるＬＡＮケーブル、及びＬＡＮモジュラジャックに結合され前面から取り出されるモジュラプラグ付きＬＡＮケーブルは共にハウジングの前面に対して直角でなく斜めの方向に配設される。従って、ハウジング内部でのＬＡＮケーブルの曲げ角度をゆるくすることができ、ハウジング前面及び背面近傍でのＬＡＮケーブルの盛り上がりを押さえて小スペース内で配線処理できる。また、ハウジングの背面から取り出される先行配線のＬＡＮケーブルもハウジングに沿って斜めに配線処理できるので配線が盛り上がったりせず、配線スペースを少なくすることができる。従って、全体として、各ＬＡＮケーブル接続を含めたＬＡＮ端子台の取り付けに必要な占有スペースを極めて少なくすることができ、マルチメディアポート内におけるＬＡＮ端子台の配線の施工性が向上する。
【００１６】
請求項３の発明によれば、ハウジングをハウジング本体とハウジングを取り付けるベース台とに分離したことにより、取り付け容易なベース台を先にマルチメディアポート用ボックスや壁に取り付け、位置決め等設定した後、ハウジング本体を取り付けることができるので、ハウジング本体を取り付けがやり易くなり、マルチメディアポート内におけるＬＡＮ端子台設置の施工性が向上する。
【００１７】
請求項４の発明によれば、ハウジングの背面におけるＬＡＮケーブルの配線を、ケーブル案内を用いて行えるので、ＬＡＮケーブルを一本一本配置を固定でき、それらがクロスして盛り上がらないように配線整理することができる。従って、配線処理をよりコンパクトに行うことができハウジングをさらに小さくすることが可能となり、ＬＡＮ端子台の占有空間スペースを削減することができる。
【００１８】
請求項５の発明によれば、ＬＡＮモジュラジャック固定ボディの解除レバーにより、ＬＡＮモジュラジャック固定ボディからＬＡＮモジュラジャックを自在に取り外しすることができるので、配線作業の自由度が高まり作業効率が向上する。また、支持柱によりＬＡＮケーブルと解除レバーの接触を防止することができるので、配線工事中等に、ＬＡＮケーブルの反力により、ＬＡＮモジュラジャック固定ボディの解除レバーが押されて、ＬＡＮモジュラジャックの係合が偶発的に解除される虞がなくなり、安定な信頼性の高い配線処理が可能となり、施工性が向上する。
【発明を実施するための最良の形態】
【００１９】
始めに、ＬＡＮケーブルなどの情報通信用のツイストペアケーブル同士を接続するために使用されるモジュラジャックの構成について、図１及び図２を参照しつつ説明する。
【００２０】
これらの図において、モジュラジャック１０は、絶縁樹脂で形成された筺体１及と、筺体１の内部に装着された端子台２と、絶縁樹脂で形成され端子台２の結線部近傍に嵌装される保護キャップ３を備えている。筺体１の前側には、ツイストペアケーブルに接続されるモジュラプラグ（図示せず）が挿入されるプラグ挿入口１１ａが形成されている。端子台２は、筺体１の内部で、かつ、プラグ挿入口１１ａの内側に装着されている。また、端子台２上には、モジュラプラグの接触子に接触可能なように複数本（例えば８本）の線状コンタクト１３が配列されると共に、各コンタクト１３にそれぞれ電気的に接続され、絶縁被膜された電線５が接続される複数（例えば８枚）の端子板（ＩＤＣ端子）が立設されている。
【００２１】
筺体１は、その先端部に略直方体状の接続台１１を備えており、接続台１１の前面に上記プラグ挿入口１１ａが開口している。接続台１１の後面下部からは、端子台２が装着される基台１２が、後方へ連続一体に突設されている。
【００２２】
端子台２は、基台１２の上面側に配設されており、各端子板は端子台２の上面から突出するように、各端子台の左右両側部において４枚ずつ、前後方向に沿って配置されている。周知のように、端子板は上縁に開放された圧接スリットを有するように、二股のフォーク状に形成されており、厚み方向が端子台２の左右方向に一致するように配置されている。圧接スリットの幅は、接続される電線５の芯線に圧接スリットの両側縁が圧接する程度に設定されている。そして、絶縁被覆を有す電線５を上下から圧接スリットに圧入すると、電線５の絶縁被覆が、圧接スリットの両側縁で破断され、それらの芯線が圧接スリットの中で圧接され、端子板に電気的に接続される。基台１２の底面には、ＬＡＮモジュララック固定ボディと係合する係合溝２８を有している。
【００２３】
端子台２の上面の両側部には、端子板の先端よりもさらに突出した複数の保護壁２３が形成されている。前後方向に隣り合う各１対の保護壁２３の対向面の略中央部には、保持溝２３ｂが上下方向に沿って形成されており、端子板は保持溝２３ｂにより保持されている。それにより、端子板５は、前後に隣り合う２つの保護壁２３によって保護され、圧接スリットは２つの保護壁２３の間に配置されている。前後方向に隣り合う各一対の保護壁２３の隙間は、電線５を挿入できるように、圧接スリットの幅寸法に比べて広く設定されている。さらに、上部ほど上記隙間が広くなるように、各一対の保護壁２３の上端部には傾斜面が形成されている。そのため、電線５をそれぞれ各一対の保護壁２３の隙間に容易に導入することができる。そして、電線５を、それぞれ端子板の圧接スリットに上方から圧入するすることにより、電線５を端子板に電気的に接続することができる。
【００２４】
端子台２上の中央の各保護壁２３の外側面には、保護キャップ３と係合される係合爪２７が突設されている。また、係合爪２７の上部には、上端縁に近づくほど外側面からの突出量が小さくなるように傾斜した誘導面２７ａが形成されている。
【００２５】
保護キャップ３は、端子台２の上面を覆う程度の寸法に形成され、キャップ本体３１の両側部には、保護壁２３の外側面に沿って嵌装される側壁３２がそれぞれ形成されている。側壁３２の前後方向の中央部には、係合爪２７と係合される矩形状の係合孔３２ａが形成されている。また、各側壁３２の係合孔３２ａの前後方向の両端には、下縁が開放された切込溝３２ｂが形成されていると共に、切込溝３２ｂよりも係合孔３２ａから離れた位置に、上縁が開放された切込溝３２ｃが形成されている。このような構成により、側壁３２のうち、係合孔３２ａを挟むように形成された切込溝３２ｂと３２ｃ間の部位が撓みやすくなる。また、保護キャップ３の側壁３２の一方の下端縁には、電線５を端子板の圧接スリットに上方から圧入するための成端部３４が備えられている。
【００２６】
次に、本発明の一実施形態に係るＬＡＮ端子台について、図３乃至図９を参照しつつ説明する。図３は、本実施形態に係るＬＡＮ端子台の分解構成を示し、図４は、組立て後のＬＡＮ端子台の斜視を示し、図５（ａ）は、上記ＬＡＮ端子台に装着されるＬＡＮモジュラジャック固定ボディの構成を示し、図５（ｂ）、（ｃ）は、ＬＡＮモジュラジャック固定ボディの短手方向の側面図及び長手方向の側面図を示す。図６（ａ）はＬＡＮモジュラジャック固定ボディに装着されるＬＡＮモジュラジャックの側面を示し、図６（ｂ）はＬＡＮモジュラジャックを嵌合したＬＡＮモジュラジャック固定ボディの一部断面を含む側面を示す。図７はＬＡＮ端子台１０１の側面の断面を示し、図８はＬＡＮ端子台１０１の背面を示し、図９はＬＡＮ端子台１０１が装着されたマルチメディアポート１００の斜視を示す。各図において、同一部材には、同一符号を付している。
【００２７】
これらの図において、ＬＡＮ端子台１０１は、ＬＡＮモジュラジャック１０と、このＬＡＮモジュラジャック１０が固定されるＬＡＮモジュラジャック固定ボディ４０と、このＬＡＮモジュラジャック固定ボディ４０が装着されるハウジング１０２から構成される。
【００２８】
ハウジング１０２は、壁面又はマルチメディアポート用ボックスに固定されるベース台７０と、ベース台７０に着脱可能なハウジング本体６０とで構成され、ＬＡＮモジュラジャック固定ボディ４０が装着されるボディ装着部６５はハウジング本体６０に形成されている。また、ハウジング１０２の外形サイズは、モジュール化のために高さと幅が規格化された長方形の外形単位サイズの整数倍から成り、ベース台７０の外形サイズとほぼ一致し、ハウジング本体６０の横幅は、ベース台７０の横幅とほぼ一致する。
【００２９】
ハウジング本体６０は、前面６１ａと、両側面６４と、ｙ軸方向の上下端面６１ｂ、６１ｃにより形成され、その前面６１ａと背面６１ｄを開口とする中空の略直方体の基本構成を有している。側面６４は、ハウジング本体６０の長手方向（ｙ軸方向）に鋸歯屋根形状に形成されている。両側面６４における鋸歯屋根形状を成す傾斜辺６６ａ、６６ｂの互いに対応する辺で構成される傾斜面は、高さ方向（ｙ軸方向）に対し斜め下方を向く矩形の傾斜開口面６２と、これに直交して斜め上方を向く矩形の傾斜天板６３とからなり、これらの４組が長手方向（ｙ軸方向）に交互に備えられている。そして、傾斜開口面６２と傾斜天板６３と両側面６４の鋸歯屋根形状部で囲まれ、二つの開口６５ａを有する傾斜開口面６２を開口面として、ＬＡＮモジュラジャック固定ボディ４０が装着されるボディ装着部６５が構成される。また、ハウジング本体６０は、ベース台７０に装着される側の端面近傍において、両側面６４を繋ぐ支持柱６７と、支持柱６７上に形成されたＬＡＮケーブルを保持するためのケーブル案内部６７ａを備えている。また、ハウジング本体６０の背面６１ｄの側壁にはベース台７０と係合されるための複数の係合爪（図示なし）が設けられている。また、ハウジング本体６０の端面６１ｃ（ｙ軸方向）には、ＬＡＮケーブルを通すための開口６１ｅと、ＬＡＮケーブルをケーブルバンド６９で固定するケーブル固定部６８が設けられている。
【００３０】
このボディ装着部６５は、開口面近傍の側面６４にＬＡＮモジュラジャック固定ボディ４０が係合される係合孔６４ａが形成されている。このボディ装着部６５に、ＬＡＮモジュラジャック固定ボディ４０が装着されることにより、ＬＡＮモジュラジャック１０は、ハウジング本体６０の長手方向（ｙ軸方向）に対し斜めに配設される。
【００３１】
ケーブル案内部６７ａは、支持柱６７において、ＬＡＮケーブルを挟持するために必要な高さと幅とを有する複数の矩形の壁が、支持柱６７のハウジング本体６０の背面６１ｄ側の面に略垂直に等間隔に立設されて構成される。このケーブル案内部６７ａにより、ハウジング本体６０の背面６１ｄ側に取出されたモジュラジャックに接続された複数のＬＡＮケーブル４を別々に、挟持して固定することができるので、ＬＡＮケーブル４が盛り上がったり、ＬＡＮケーブル同士が交差することを防ぐことができる。また、ハウジング本体６０の端面６１ｂ（ｙ軸方向）に設けられた開口６１ｅとベース台７０の上底の開口７４により、ハウジング１０２の背面からではなく、ケーブル案内部６７ａを通してハウジング１０２の上底部（ｙ軸方向）からＬＡＮケーブルを取出すことができる。
【００３２】
ベース台７０は、その内部にハウジング本体６０の背面６１ｄの開口と接合する略同サイズの開口孔７１を有し、その長手方向（ｙ軸方向）の両端部にそれぞれベース台７０をマルチメディアポート１００のボックス１１０に取り付けるネジ挿入孔７２を有する。また、開口周辺上において、上部（ｙ軸方向）の１短辺を除き３側辺に沿って周壁７３が立設され、周壁７３の存在しない上部（ｙ軸方向）の１短辺は、ＬＡＮケーブルを通す開口７４となる。この立設された周壁７３は、その上面（ｚ軸方向）においてハウジング本体６０の背面６１ｄと接合され、この周壁７３の長手方向の側壁７３ａ及び７３ｂの上面（ｚ軸方向）には、ハウジング本体６０の係合爪（図示なし）と係合される係合溝７５が形成されている。これにより、まずベース台７０が、マルチメディアポート１００のボックス１１０にネジ止めされて固定され、次にハウジング本体６０がベース台７０台に係合される。それにより、ハウジング１０２がマルチメディアポート１００のボックス１１０に固定される。
【００３３】
ＬＡＮモジュラジャック固定ボディ４０は、ボディ長手方向に配列された二つの嵌合孔４３（ＬＡＮモジュラジャック装着部）が形成され、それが装着されるハウジング本体６０の傾斜開口面６２と略同じ外形サイズの取り付け枠４２と、ボディ長手方向両端部に形成されたハウジング本体６０のボディ装着部６５の係合孔６４ａに係合固定される係合爪４４、４７（係合部）と、嵌合されたＬＡＮモジュラジャック１０を狭持する二組の係合支持部４５及び支持板４６とを備える。また、ＬＡＮモジュラジャック固定ボディ４０は、ハウジング本体６０のボディ装着部６５に装着された状態で、同じ方向を向くように、両側面の鋸歯屋根形状を成す傾斜辺に１つおきに装着されている。取り付け枠４２に設けられた係合爪４４は、ＬＡＮモジュラジャック固定ボディ４０をハウジング本体６０から取り外し易いように、取り付け枠４２の長手方向に弾性を持たせている。
【００３４】
ＬＡＮモジュラジャック１０が嵌合される二つの嵌合孔４３（モジュラジャック装着部）は、ＬＡＮモジュラジャック１０のモジュラプラグが挿入される接続台１１の前面と略同サイズの開口を有する。そして、ＬＡＮモジュラジャック１０は、嵌合孔４３の裏面側から挿入されると、ＬＡＮモジュラジャック１０の接続台１１の側面に設けられた突起２９が嵌合孔４３の裏面挿入口の側壁に当るところで止まるように形成されている。これにより、ＬＡＮモジュラジャック固定ボディ４０の前面４１ａと挿入されたＬＡＮモジュラジャック１０のモジュラプラグ挿入面とが面一となるよう固定される。
【００３５】
ＬＡＮモジュラジャック１０を挟持する係合支持部４５と支持板４６は、ＬＡＮモジュラジャック固定ボディ４０の裏面４１ｂにおいて、取り付け枠４２の長手方向に平行な各嵌合孔４３の各側辺に沿って、裏面４１ｂに対し略直角にそれぞれＬＡＮモジュラジャック１０を挟む形で二組立設されている。係合支持部４５は、裏面４１ｂに対し略垂直に、その長手方向を外に向けて立設された略長方形の板状体４８で構成され、その先端部に開口を持つ中空の窓枠４９が形成されている。窓枠４９の先端枠５０には、この先端枠５０に固定されて、この板状体４８に平行に窓枠４９の開口の内と外に亘り先端枠５０と一体化成形され、先端枠５０を支点に弾性的に動く、細長の補助基板５１が設けられている。さらに、その窓枠４９の開口内に位置する補助基板５１の嵌合面側の面上には、ＬＡＮモジュラジャック１０の基台１２の係合溝２８と係合される係合爪５２が設けられている。さらに、係合爪５２の上部には、上端縁に近づくほどＬＡＮモジュラジャック１０の挿入方向面からの突出量が小さくなるように傾斜されたた誘導面５２ａが形成されている。
【００３６】
一方、補助基板５１の窓枠４９の開口の外の部分は、この補助基板５１に設けられた係合爪５２と連動し、ＬＡＮモジュラジャック１０をＬＡＮモジュラジャック固定ボディ４０から取り外すための解除レバー５３として形成されている。この解除レバー５３により、窓枠４９の先端枠５０を支点にして係合爪５２を容易に動かすことができるので、簡単にＬＡＮモジュラジャックを係合から解除して取り外すことができる。また、係合爪５２の係合溝２８からの解除シフト側には、解除レバー５３の過剰な力により係合爪５２が過度に移動しないように係合爪５２の可動範囲を制限する係合爪止５４が設けられている。
【００３７】
また、この解除レバー４７は、支持柱６７のケーブル案内部６７ａと反対側に配設されている。このことにより、ＬＡＮモジュラジャック固定ボディ４０の解除レバー５３は、ハウジング本体６０のケーブル案内部６７ａの裏側に配置されるので、ＬＡＮ端子台１０１をマルチメディアポート１００に装着する時に、ハウジング本体６０内で配線されるＬＡＮケーブル１０７と接触することがなく、ハウジング本体６０の背面側からのＬＡＮケーブル１０７の反力により、ＬＡＮモジュラジャック固定ボディ４０の解除レバー５３が当てられて押され、ＬＡＮモジュラジャック１０が外れることがなくなり、安定した配線処理ができ、施工性が向上する。
【００３８】
上記実施形態によるＬＡＮ端子台１０１を装着したマルチメディアポート１００では、ＬＡＮ端子台１０１は、従来の６ポートのＬＡＮ端子台とほぼ同じハウジングサイズで、８つのモジュラジャックを備え、ハブ部１０３からの８つのポート１０６からの各ＬＡＮケーブル１０７と接続される。また、ＬＡＮ端子台１０１のモジュラジャック１０は下向きに傾斜して装着されているため、ハブ部１０３からのＬＡＮケーブル１０７をハウジング本体６０の前面近くで配線される。さらに、モジュラジャック１０に接続される先行配線のＬＡＮケーブル４は、ＬＡＮ端子台の前面でなく背面側で配線処理され、ＬＡＮ端子台１０１の上底面部よりまとめて取出され、ボックス１１０の開口孔１０８から外部へ配線されている。
【００３９】
以上述べたように、上記実施形態のＬＡＮ端子台１０１によれば、ＬＡＮモジュラジャック１０に結線されるＬＡＮケーブル４は、ハウジング本体６０の背面６１ｄより接続される。従って、ハウジング本体６０の前面のＬＡＮ端子台１０１の前面にはＬＡＮケーブル４の結線部は存在せず、ＬＡＮモジュラジャック１０のモジュラプラブが接続されるモジュラジャックコネクタしか配設されないので、ＬＡＮ端子台１０１の前面におけるＬＡＮモジュラジャックの取り付け面積を増加させることができ、それによりＬＡＮモジュラジャックの取り付け数を増やすことができる。従って、例えば、従来の６ポート用のＬＡＮ端子台のハウジングサイズで、８ポート用のＬＡＮ端子台を構成することが可能となり、ＬＡＮ端子台の省スペース化が得られる。また、ＬＡＮ端子台１０１とハブ部１０３間のＬＡＮケーブル接続の結線が８本に増えても、ＬＡＮ端子台１０１のハウジング１０２の大きさが変らないので、両者の接続は従来のままの短いケーブルで行え、簡潔な配線ができる。
【００４０】
そして、ＬＡＮモジュラジャックは、ＬＡＮモジュラジャック固定ボディから取り外し自在であるので、ＬＡＮモジュラジャックへのＬＡＮケーブル４の接続を先に行ってから、ＬＡＮモジュラジャックをＬＡＮモジュラジャック固定ボディに固定することができ、その後、ＬＡＮモジュラジャック固定ボディをハウジング本体に固定できるので、ＬＡＮ端子台におけるＬＡＮケーブル接続の作業性が極めて良くなる。
【００４１】
また、ＬＡＮモジュラジャックは、ハウジング前面において傾斜を成して装着されるので、ＬＡＮモジュラジャックに接続されるハウジングの背面から取り出されるＬＡＮケーブル、及びＬＡＮモジュラジャックに結合され前面から取り出されるモジュラプラグ付きＬＡＮケーブルは、共にハウジングの前面又は背面に対して直角でなく斜めの方向に配設される。従って、ＬＡＮケーブルをＬＡＮ端子台の前面に近づけて配線でき、ＬＡＮ端子台の前面近傍におけるＬＡＮケーブルの盛り上がりを押さえることができ、小スペース内で配線処理できる。また、ハウジングの背面から取り出される先行配線のＬＡＮケーブルもハウジングに沿って斜めに配線処理できるので配線が盛り上がったりせず、同様に配線スペースを少なくできる。従って、全体として、各ＬＡＮケーブル接続を含めたＬＡＮ端子台の取り付けに必要な占有スペースを極めて少なくすることができ、マルチメディアポート内におけるＬＡＮ端子台の配線の施工性が著しく向上できる。
【００４２】
また、ハウジングをハウジング本体とハウジングを取り付けるベース台とに分離したことにより、取り付け容易なベース台を先にマルチメディアポート用ボックスや壁に取り付け、位置決め等設定した後、ハウジング本体を取り付けることができるので、ハウジング本体を取り付けがやり易くなり、マルチメディアポート内におけるＬＡＮ端子台設置の施工性が向上する。
【００４３】
また、ハウジングの背面におけるＬＡＮケーブルの配線を、ケーブル案内を用いて行うことができるので、ＬＡＮケーブルを一本一本配置して固定でき、それらが交差して盛り上がらないように配線整理することができる。従って、配線処理をよりコンパクトに行うことができハウジングをさらに小さくすることが可能となり、ハウジング１０２の奥行きを短くすることができる。これにより、マルチメディアポート内の取り付け壁までの奥行き幅を低くすることができ、ハウジング１０２の配線処理を含めた小型化、省スペース化が可能となる。
【００４４】
さらに、ＬＡＮモジュラジャック固定ボディの解除レバーにより、ＬＡＮモジュラジャック固定ボディからＬＡＮモジュラジャックを自在に取り外しすることができるので、配線作業の自由度が高まり作業効率が向上する。また、支持柱によりＬＡＮケーブルと解除レバーの接触を防止することができるので、配線工事中等に、ＬＡＮケーブルの反力により、ＬＡＮモジュラジャック固定ボディの解除レバーが押されて、ＬＡＮモジュラジャックの係合が偶発的に解除される虞がなくなり、安定な信頼性の高い配線処理ができ、施工性が向上する。
【００４５】
さらに、先行配線されたＬＡＮケーブルのモジュラジャックへの接続において、圧接スリットを形成した端子板（ＩＤＣ端子）を持つ端子台を有するＬＡＮモジュラジャックを用いるので、ＬＡＮケーブルとモジュラジャックとの結線にプリント基板を介在する必要がなく、電線がＩＤＣ端子に直接に圧接されて接続されるので結線が著しく簡単で確実に行われ、配線作業の信頼性と作業性が高まる。
【図面の簡単な説明】
【００４６】
【図１】本発明の一実施形態に係るＬＡＮ端子台を構成するモジュラジャックの斜視図。
【図２】上記モジュラジャックの端子部の結線状態を示す斜視図。
【図３】本発明の一実施形態に係るＬＡＮ端子台の分解構成図。
【図４】上記ＬＡＮ端子台の組立て後のＬＡＮ端子台の斜視図。
【図５】（ａ）、（ｂ）、（ｃ）は、それぞれ上記ＬＡＮ端子台に装着されるＬＡＮモジュラジャック固定ボディの斜視図、短手方向の側面図及び長手方向の側面図。
【図６】（ａ）は上記ＬＡＮモジュラジャック固定ボディに装着されるＬＡＮモジュラジャックの側面図、（ｂ）は上記ＬＡＮモジュラジャックを嵌合したＬＡＮモジュラジャック固定ボディの一部断面を含む側面図。
【図７】上記ＬＡＮ端子台の側面断面図。
【図８】上記ＬＡＮ端子台の裏面図。
【図９】上記ＬＡＮ端子台を組込んだマツチメディアポートの斜視図。
【図１０】（ａ）従来のＬＡＮ端子台を組込んだマツチメディアポートの斜視図、（ｂ）は（ａ）におけるＡ部の拡大図。
【符号の説明】
【００４７】
４  ＬＡＮケーブル
１０  ＬＡＮモジュラジャック
２８  係合溝
４０  ＬＡＮモジュラジャック固定ボディ
４３  嵌合孔（ＬＡＮモジュラジャック装着部）
４４  係合爪（係合部）
４７  係合爪（係合部）
５２  係合爪
５３  解除レバー
６０  ハウジング本体
６１ａ  前面
６１ｂ  背面
６４  側面
６５  ボディ装着部
６６ａ、６６ｂ  傾斜辺
６７  ケーブル支持柱
６７ａ  ケーブル案内部
７０  ベース台
１１０  マルチメディアポート用ボックス
１０１  ＬＡＮ端子台
１０２  ハウジング
【図１】
2006236719.tif 000003
【図２】
2006236719.tif 000004
【図３】
2006236719.tif 000005
【図４】
2006236719.tif 000006
【図５】
2006236719.tif 000007
【図６】
2006236719.tif 000008
【図７】
2006236719.tif 000009
【図８】
2006236719.tif 000010
【図９】
2006236719.tif 000011
【図１０】
2006236719.tif 000012